(57)【要約】【課題】足揉み装置を内蔵可能なマッサージ椅子を提供する。【解決手段】マッサージ椅子１とマッサージ椅子１の前部に設置された足揉み装置２とを有する足揉み装置を内蔵可能なマッサージ椅子であり、マッサージ椅子１内には足揉み装置２と接続する押引機構１６が設けられており、押引機構１６が押し出されると、足揉み装置２は使用位置に位置し、押引機構１６が引き込まれると、足揉み装置２はマッサージ椅子１の内蔵位置に進入する構成とする。【選択図】図３
2007075590.tif 000002
【特許請求の範囲】
【請求項１】
マッサージ椅子（１）とマッサージ椅子（１）の前部に設置された足揉み装置（２）とを有する足揉み装置を内蔵可能なマッサージ椅子において、
前記マッサージ椅子（１）内には足揉み装置（２）と接続する押引機構（１６）が設けられており、押引機構（１６）が押し出されると、足揉み装置（２）は使用位置に位置し、押引機構（１６）が引き込まれると、足揉み装置（２）はマッサージ椅子（１）の内蔵位置に進入することを特徴とする足揉み装置を内蔵可能なマッサージ椅子。
【請求項２】
前記押引機構（１６）にはマッサージ椅子（１）の両側に設置されているガイドレール（３）とガイドレール（３）に沿って移動する走行機構（４）とが含まれ、
走行機構（４）には前方に突き出る押引ロッド（５）が固定され、押引ロッド（５）の先端頭部はキャリッジ板（６）の後端とピン接続し、キャリッジ板（６）の先端にはローラ（７）が設けられており、足揉み装置（２）は両キャリッジ板（６）の間にピン接続していることを特徴とする請求項１記載の足揉み装置を内蔵可能なマッサージ椅子。
【請求項３】
前記走行機構（４）は２本の平行に設置されている走行軸（１５）を含み、両走行軸（１５）には駆動装置（８）が配設され、走行軸（１５）の両端には歯車（９）が固定され、歯車（９）はガイドレール（３）内に嵌入しているとともに、ガイドレール（３）の一方の側に固定されているラック（１０）と噛合い、両押引ロッド（５）はそれぞれ歯車（９）内側の走行軸（１５）に対し固定されていることを特徴とする請求項２記載の足揉み装置を内蔵可能なマッサージ椅子。
【請求項４】
前記ガイドレール（３）の後部は水平状を呈し、前部は弧形上反り形状を呈していることを特徴とする請求項２記載の足揉み装置を内蔵可能なマッサージ椅子。
【請求項５】
前記キャリッジ板（６）は略三角形を呈し、足揉み装置（２）はキャリッジ板（６）の上端にピン接続していることを特徴とする請求項２記載の足揉み装置を内蔵可能なマッサージ椅子。
【請求項６】
前記ラック（１０）はガイドレール（３）の上側に固定されており、ガイドレール（３）の下側はステップ（１７）であり、ステップ（１７）の上端は走行軸（１５）を支持して、歯車（９）とラック（１０）との噛合いを保持させていることを特徴とする請求項２記載の足揉み装置を内蔵可能なマッサージ椅子。
【請求項７】
前記走行機構（４）がガイドレール（３）の水平部分位置に位置していると、前方に伸出した押引ロッド（５）は略下向きに傾斜するが、押引ロッド（５）とキャリッジ板（６）とのピン接続点は床面より高くなっていることを特徴とする請求項２、３または４記載の足揉み装置を内蔵可能なマッサージ椅子。
【請求項８】
前記ガイドレール（３）はそれぞれ両側面板（１３）上に設けられ、側面板（１３）はマッサージ椅子の手摺り枠（１４）の内側に固定されていることを特徴とする請求項２、３または４記載の足揉み装置を内蔵可能なマッサージ椅子。
【請求項９】
前記駆動装置（８）には、両走行軸（１５）の上側に固定されている減速箱（１１）とモータ（１２）とが含まれていることを特徴とする請求項３記載の足揉み装置を内蔵可能なマッサージ椅子。
【発明の詳細な説明】
【技術分野】
【０００１】
本発明は、足揉み装置を内蔵可能なマッサージ椅子に関する。
【背景技術】
【０００２】
従来からの技術において、マッサージ椅子は、人体の背部及び臀部にマッサージを施すことができるばかりではなく、人体の下肢にマッサージを施すこともできるものとなっている（特許文献１参照）。下肢にマッサージを施す足揉み装置は一般にマッサージ椅子の前部に配設されており、施療者の要求に応えるためにその仰角は調整可能である。
【特許文献１】特開２００２−２３８９６３号公報
【発明の開示】
【発明が解決しようとする課題】
【０００３】
しかしながら、足揉み装置の設置によりマッサージ椅子の体積は大幅に増加するばかりであり、背部と臀部に限ってマッサージを施す場合には、足揉み装置が邪魔となったりして、施療者の快適さが減ることとなる。
本発明の目的は、足揉み装置を内蔵可能な（内部に収納可能な）マッサージ椅子を提供することであり、当該マッサージ椅子は足揉み装置をマッサージ椅子の内部に収納することができるため、マッサージ椅子の体積は縮小されるばかりではなく、施療者にはより多くの簡便さと快適さとが提供される。
【課題を解決するための手段】
【０００４】
前記目的を達成するために、本発明は次の手段を講じた。
本発明の技術的手段は、マッサージ椅子とマッサージ椅子の前部に設置される足揉み装置とを含む足揉み装置を内蔵可能なマッサージ椅子であり、前記マッサージ椅子内には足揉み装置と接続する押引機構が設けられており、押引機構が押し出されると、足揉み装置は使用位置に位置し、押引機構が引き込まれると、足揉み装置はマッサージ椅子の内蔵位置に進入する点にある。
本発明の更なる技術的手段は、マッサージ椅子とマッサージ椅子の前部に設置される足揉み装置とを含む足揉み装置を内蔵可能なマッサージ椅子であり、前記マッサージ椅子内には足揉み装置と接続する押引機構が設けられており、押引機構が押し出されると、足揉み装置は使用位置に位置し、押引機構が引き込まれると、足揉み装置はマッサージ椅子の内蔵位置に進入し、前記押引機構にはマッサージ椅子の両側に設置されているガイドレールとガイドレールに沿って移動する走行機構とが含まれ、走行機構には前方に突き出る押引ロッドが固定され、押引ロッドの先端頭部はキャリッジ板の後端とピン接続し、キャリッジ板の先端にはローラが設けられており、足揉み装置は両キャリッジ板の間にピン接続している点にある。
【０００５】
本発明のより詳細な技術的手段は、マッサージ椅子とマッサージ椅子の前部に設置される足揉み装置とを含む足揉み装置を内蔵可能なマッサージ椅子であり、前記マッサージ椅子内には足揉み装置と接続する押引機構が設けられており、押引機構が押し出されると、足揉み装置は使用位置に位置し、押引機構が引き込まれると、足揉み装置はマッサージ椅子の内蔵位置に進入し、前記押引機構にはマッサージ椅子の両側に設置されているガイドレールとガイドレールに沿って移動する走行機構とが含まれ、走行機構上には前方に突き出る押引ロッドが固定され、押引ロッドの先端頭部はキャリッジ板の後端とピン接続し、キャリッジ板の先端にはローラが設けられており、足揉み装置は両キャリッジ板の間にピン接続しており、
前記走行機構は２本の平行に設置されている走行軸を含み、両走行軸上には駆動装置が配設され、走行軸の両端には歯車が固定され、歯車はガイドレール内に嵌入しているとともに、ガイドレールの一方の側に固定されているラックと噛合い、両押引ロッドはそれぞれ歯車内側の走行軸に対し固定されており、
前記ガイドレールの後部は水平状を呈し、前部は弧形上反り形状を呈しており、
前記キャリッジ板は略三角形を呈し、足揉み装置はキャリッジ板の上端にピン接続しており、
前記ラックはガイドレールの上側に固定されており、ガイドレールの下側はステップであり、ステップの上端は走行軸を支持して、歯車とラックとの噛合いを保持させており、
前記走行機構がガイドレールの水平部分位置に位置していると、前方に伸出した押引ロッドは略下向きに傾斜するが、押引ロッドとキャリッジ板とのピン接続点は床面より高くなっており、
前記駆動装置には両走行軸の上側に固定されている減速箱とモータとが含まれており、前記ガイドレールはそれぞれ両側面板上に設けられ、側面板はマッサージ椅子の手摺り枠の内側に固定されている点にある。
【発明の効果】
【０００６】
本発明の利点は下記の通りである。
１．本発明の足揉み装置は押引機構の作用下でマッサージ椅子の内部に収納可能であるため、マッサージ椅子の体積は縮小されるばかりではなく、施療者にはより多くの簡便さと快適さとが提供される。
２．本発明の足揉み装置は両キャリッジ板の間にピン接続しており、キャリッジ板は押引ロッドに従動するとともに着地端にはローラが設けられており、押引ロッドはガイドレールに沿って移動する走行装置に従動し、走行装置がガイドレール先端の上反り部分まで移動すると、押引ロッドはキャリッジ板を上向きに持ち上げて、施療者の足揉みマッサージのために、足揉み装置をマッサージ椅子の前部に傾斜配置させ、走行装置がガイドレール後部の水平部分まで移動すると、押引ロッドは前方向で略下向きとなり、足揉み装置を後方にマッサージ椅子の座席内まで移動させる。
【発明を実施するための最良の形態】
【０００７】
以下、実施例に基づき、本発明についてより詳細に説明する。
図１、図２、図３、図４、図５に示されている通り、足揉み装置を内蔵可能なマッサージ椅子には、マッサージ椅子１とマッサージ椅子１の前部に設置されている足揉み装置２とが含まれ、マッサージ椅子１内には足揉み装置２と接続している押引機構１６が設けられている。
押引機構１６には、マッサージ椅子１の２か所の手摺り枠１４の内側に設置されている側面板１３が含まれ、側面板１３上にはガイドレール３及びガイドレール３に沿って移動する走行機構４が設けられており、ガイドレール３の後部は水平状を呈し、前部は弧形上反り形状を呈している。
【０００８】
走行機構４には、２本の平行に設置されている走行軸１５が含まれ、両走行軸１５上には減速箱１１とモータ１３とで構成される駆動装置８が配設されている。走行軸１５の両端には歯車９が固定され、歯車９はそれぞれガイドレール３内に嵌入しているとともに、ガイドレール３の上側に固定されているラック１０と噛み合っており、ガイドレール３の下側はステップ（支持レール）１７で、ステップ１７の上端（上面）は走行軸１５を支持して、歯車９とラック１０との噛合いを保持させるものとなっている。
歯車９内側の走行軸１５には、前方に突き出る（延びる）押引ロッド５が固定され（言い換えれば、押引ロッド５の後端に走行軸１５が回転自在に設けられ）、押引ロッド５の先端頭部は略三角形を呈するキャリッジ板６の後端とピン接続しており、キャリッジ板６の先端にはローラ７が設けられており、足揉み装置２はピン軸により両キャリッジ板６の間にピン接続し、ピン接続点はキャリッジ板６の上端に位置している。走行軸１５がガイドレール３の水平部分位置に位置していると、前方に伸出した押引ロッド５は略下向きに傾斜するが、押引ロッド５とキャリッジ板６とのピン接続点は床面より高くなっている。
【０００９】
図３、図４、図５に示されている通り、施療者がスイッチをオン（操作する）とすると、走行軸１５がモータ１３、減速箱１２、歯車９、ラック１０の作用下でガイドレール３に沿って前方向に移動し、押引ロッド５、キャリッジ板６にマッサージ椅子１の内部に位置する足揉み装置２を押し出させ、走行軸１５がガイドレール３の上反り部分まで移動すると、押引ロッド５がキャリッジ板６の後端を持ち上げて、足揉み装置２全体をマッサージ椅子１の前部に傾斜設置させるようになる。これにより、施療者は下肢を足揉み装置２内に差し入れてマッサージを施すことが可能となる。
【００１０】
施療者が足揉みを必要としない場合には、再度スイッチをオンとし（操作し）、走行軸１５を後方に向けて移動させると、後方移動の際、押引ロッド５が先ずキャリッジ板６の後端の高さを低減させ、その後、ガイドレール３後部の水平部分に沿って足揉み装置２をマッサージ椅子１の内部まで移動させて収納する。
本発明により、マッサージ椅子の体積は縮小されるばかりではなく、施療者にはより多くの簡便さと快適さとが提供される。
【図面の簡単な説明】
【００１１】
【図１】本発明の正面図である。
【図２】本発明の側面図である。
【図３】本発明の使用状態の見取図である。
【図４】本発明の移動状態の見取図である。
【図５】本発明の内蔵状態の見取図である。
【符号の説明】
【００１２】
１    マッサージ椅子
２    足揉み装置
３    ガイドレール
４    走行機構
５    押引ロッド
６    キャリッジ板
７    ローラ
８    駆動装置
９    歯車
１０  ラック
１１  減速箱
１２  モータ
１３  側面板
１４  手摺り枠
１５  走行軸
１６  押引機構
１７  ステップ
【図１】
2007075590.tif 000003
【図２】
2007075590.tif 000004
【図３】
2007075590.tif 000005
【図４】
2007075590.tif 000006
【図５】
2007075590.tif 000007